(57)【要約】【課題】硬めのクッション性による沈み込みを抑えながらの身体の支持と、軟らかいクッション性による体圧を分散した身体の支持の両者を、合理的に行えるようにするマットレス用クッション体を提供する。【解決手段】本発明では、硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列が上面から下面に貫通させて形成されており、前記荷重支持層の下側に軟らかめのクッション性を有する柔軟層が配置されているマットレス用クッション体を提案する。本発明のマットレス用クッション体は、医療用や介護用のマットレスとして利用することができる。【選択図】図１
2018086397.tif 000002
【特許請求の範囲】
【請求項１】
硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列が上面から下面に貫通させて形成されており、前記荷重支持層の下側に軟らかめのクッション性を有する柔軟層が配置されていることを特徴とするマットレス用クッション体。
【請求項２】
硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列が形成されており、前記荷重支持層の下側には軟らかめのクッション性を有する柔軟層が配置されていて、前記荷重支持層の切り込みの列が形成された部位においては、隣接する切り込みに挟まれた部分は、切り込みにより隣接する他の部分に対して剪断方向に相対移動が可能で、切り込みが付されていない部位に作用する引張弾性力と前記柔軟層の圧縮弾性力により使用者の体圧の高くなりやすい部位が支持されることを特徴とするマットレス用クッション体。
【請求項３】
荷重支持層において、仰臥状態の使用者の体圧の高くなりやすい部位のうち、臀部又は背部に切り込みの列が形成されていることを特徴とする請求項１又は２に記載のマットレス用クッション体。
【請求項４】
柔軟層の表面に多数の凹凸が形成されていることを特徴とする請求項１〜３のいずれか１項に記載のマットレス用クッション体。
【請求項５】
請求項１〜４のいずれかにより構成されたマットレス用クッション体をカバーで被覆して構成された医療用又は介護用のマットレス。
【請求項６】
硬めのクッション性を有する荷重支持層において、その硬めのクッション性のために仰臥状態の使用者の体圧の高くなりやすい部位及びその近傍に対応し、マットレスの幅方向に広く、長さ方向に狭い適宜の形状の範囲に、マットレスの長さ方向の複数の切り込みの列を上面から下面に貫通させて形成した後、前記荷重支持層の下側に軟らかめのクッション性を有する柔軟層を配置してマットレス用クッション体を構成することを特徴とするマットレス用クッション体の製造方法。
【請求項７】
硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列を形成した後、前記荷重支持層の下側に軟らかめのクッション性を有する柔軟層を配置して、前記荷重支持層の切り込みの列を形成した部位においては、隣接する切り込みに挟まれた部分は、切り込みにより隣接する他の部分に対して剪断方向に相対移動が可能で、切り込みが付されていない部位に作用する引張弾性力と前記柔軟層の圧縮弾性力により使用者の体圧の高くなりやすい部位が支持されるマットレス用クッション体を構成することを特徴とするマットレス用クッション体の製造方法。
【発明の詳細な説明】
【技術分野】
【０００１】
本発明はマットレス用クッション体及びマットレス並びにマットレス用クッション体の製造方法に関する。
【背景技術】
【０００２】
マットレス用クッション体に用いるクッション材として、軟らかいクッション材を用いると、使用者の身体の部分、特に臀部や背部等のクッション体への沈み込み量が大きくなり、体圧の分散がなされるものの、寝返りや、起きあがって端座位になる等の姿勢を変えたり、移動することが難くなり、介護や看護における負担も大きくなる。また軟らかいクッション材は永久変形、いわゆるへたりを起こしやすい。一方、硬いクッション材を用いると、沈み込み量は小さくなるものの、上記臀部や背部等の部分を圧迫する圧力、即ち、局部的な体圧が大きくなって寝心地が悪くなり、長期間に渡って仰臥する使用者等では褥瘡の発生等の問題が生じる。
【０００３】
このように、クッション材の、硬さと軟らかさという二律背反的な性状を如何に利用して、クッション性の良好なマットレス用クッション体を得るかが従来から大きな課題となっている。
【０００４】
このような課題を解決するために従来から各種の提案がなされている。
例えば特許文献１では、マットレスの長手方向に対して区分された身体部位、例えば仰臥姿勢の人の頭部、胸部、腰部及び脚部に、硬さが夫々異なる合成樹脂発泡体をクッション材として使用することにより、各身体部位の体圧分布に対応したクッション性を有するマットレスを得ようとしている。
【０００５】
一方、特許文献２、特許文献３では、硬めのクッション材に、上面からスリット等を形成して、その部分においては水平方向の引張弾性力が作用しないようにし、垂直方向の圧縮弾性力により荷重を支持するようにして、その部分における変形が他の部分の変形よりも相対的に容易に生じるようにすることにより、局所的に軟らかくすることが提案されている。
【先行技術文献】
【特許文献】
【０００６】
【特許文献１】特開平１１−１１３６８８号公報
【特許文献２】特許第３５８６８４２号公報
【特許文献３】特開２００４−２１５７９８号公報
【発明の概要】
【発明が解決しようとする課題】
【０００７】
特許文献１に示されるように、使用者の身体部位に対応した複数の区分の夫々に、硬さが異なるクッション材を用いるものでは、製作が面倒であると共に、硬さが異なる区分の境目に違和感を感じさせてしまい、また軟らかいクッション材におけるへたりの起こしやすさは解決されていない。
【０００８】
また特許文献２、特許文献３に示されるように、クッション材に上面からスリット等を形成するものでは、確かにスリットにより、ある程度、即ち、水平方向の引張弾性力に起因する分については、局部的に軟らかくすることはできるが、垂直方向の圧縮弾性力はそのまま残り、また上下方向の変形量も限られてしまうため、十分に軟らかくすることは困難である。
【０００９】
本発明は、以上のような課題を解決し、硬めのクッション性による沈み込みを抑えながらの身体の支持と、軟らかいクッション性による体圧を分散した身体の支持の両者を、合理的に行えるようにすることを目的とするものである。
【課題を解決するための手段】
【００１０】
上述した課題を解決するために本発明では、まず、硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列が上面から下面に貫通させて形成されており、前記荷重支持層の下側に軟らかめのクッション性を有する柔軟層が配置されているマットレス用クッション体を提案する。
【００１１】
また本発明では、硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列が形成されており、前記荷重支持層の下側には軟らかめのクッション性を有する柔軟層が配置されていて、前記荷重支持層の切り込みの列が形成された部位においては、隣接する切り込みに挟まれた部分は、切り込みにより隣接する他の部分に対して剪断方向に相対移動が可能で、切り込みが付されていない部位に作用する引張弾性力と前記柔軟層の圧縮弾性力により使用者の体圧の高くなりやすい部位が支持されるマットレス用クッション体を提案する。
【００１２】
また本発明では、前記荷重支持層において、仰臥状態の使用者の体圧の高くなりやすい部位のうち、臀部又は背部に切り込みの列が形成されているマットレス用クッション体を提案する。
【００１３】
また本発明では、前記マットレス用クッション体において、柔軟層の表面に多数の凹凸が形成されていることを提案する。
【００１４】
また本発明では、以上のマットレス用クッション体をカバーで被覆して構成された医療用又は介護用のマットレスを提案する。
【００１５】
また本発明では、硬めのクッション性を有する荷重支持層において、その硬めのクッション性のために仰臥状態の使用者の体圧の高くなりやすい部位及びその近傍に対応し、マットレスの幅方向に広く、長さ方向に狭い適宜の形状の範囲に、マットレスの長さ方向の複数の切り込みの列を上面から下面に貫通させて形成した後、前記荷重支持層の下側に軟らかめのクッション性を有する柔軟層を配置してマットレス用クッション体を構成するマットレス用クッション体の製造方法を提案する。
【００１６】
また本発明では、硬めのクッション性を有する荷重支持層において、その硬めのクッション性のために仰臥状態の使用者の体圧の高くなりやすい部位及びその近傍に対応する適宜の形状の範囲に、マットレスの長さ方向の複数の切り込みの列を形成した後、前記荷重支持層の下側に軟らかめのクッション性を有する柔軟層を配置して、前記荷重支持層の切り込みの列を形成した部位においては、隣接する切り込みに挟まれた部分は、切り込みにより隣接する他の部分に対して剪断方向に相対移動が可能で、切り込みが付されていない部位に作用する引張弾性力と前記柔軟層の圧縮弾性力により使用者の体圧の高くなりやすい部位が支持されるマットレス用クッション体を構成するマットレス用クッション体の製造方法を提案する。
【発明の効果】
【００１７】
本発明のマットレス用クッション体では、硬めのクッション性を有する荷重支持層は、切り込みの個所において水平方向の引張弾性力から開放されるため、その分垂直方向に変形しやすくなる。特に、切り込みは、荷重支持層の上面から底面に貫通させているため、隣接する切り込みに挟まれた荷重支持層の部分は、隣接する他の部分に対して、全体として剪断方向の相対移動が可能となる。
【００１８】
そしてこの際、荷重支持層の下側には軟らかめのクッション性を有する柔軟層が配置されているため、隣接する切り込みに挟まれた荷重支持層の部分において、より大きな荷重が加わった部分は、下側の柔軟層を圧縮しながら、より小さな荷重が加わっている部分に対して全体として剪断方向である下方に移動する。即ち、隣接する切り込みに挟まれた荷重支持層の部分は、切り込みと平行な方向の引張弾性力と、柔軟層の圧縮弾性力により支持されることとなる。
【００１９】
このようなことから、硬めのクッション性を有する荷重支持層において、切り込みの列から成る適宜の形状の範囲は、下側に配置した柔軟層と相俟って、文字通り、上下方向の変形が容易であり、荷重支持層の下側に配置した柔軟層のクッション性よりは硬いが、上述した従来例のように単に切り込みを形成したものと比較して、大幅に軟らかいクッション性を得ることができ、体圧の分散に寄与する。
【００２０】
荷重支持層においてマットレスの幅方向の切り込みの列を形成する場合には、長さ方向の切り込みの列を形成する場合よりも、切り込みの長さが長く、従って隣接する切り込みに挟まれた荷重支持層の部分が長いため、長さ方向の切り込みの列を形成する場合と比較して、より柔らかなクッション性を得ることができる。
【００２１】
荷重支持層又は柔軟層の表面に多数の凹凸を形成して体圧の分散を図る手法を適用することができる。
【００２２】
本発明のマットレス用クッション体は、マットレスとして構成する場合に、まず、荷重支持層において、仰臥状態の使用者の臀部又は背部の部位及びそれらの近傍に対応する範囲に上面から底面に貫通する複数の長さ方向の切り込みの列を形成し、その後、荷重支持層の下側に軟らかめのクッション性を有する柔軟層を配置することにより製造することができ、この構成において、荷重支持層により、身体全体を沈み込みが少ない状態で支持しながら、切り込みの列を形成した範囲においては、その容易な変形により、対応する身体部位の体圧を、分散して支持することができる。
【００２３】
尚、荷重支持層の下側に柔軟層を配置する際、荷重支持層の下側と柔軟層の上側の、少なくとも一部を接着や溶着で結合して一体化する他、カバーで被覆してマットレスを構成する際に、このカバーで所定配置を維持するようにすることもできる。
【００２４】
このようにして、本発明のマットレス用クッション体により構成された、医療用又は介護用のマットレスは、荷重支持層により、必要な身体の部位では体圧の分散を図りながら、沈み込みが少ない状態で身体を支持することができるので、体圧分散に伴う効果に加えて、寝返りや、起きあがって端座位になる等の姿勢を変えたり、移動することが容易となり、介護や看護における負担を軽減することができるという効果を奏する。更に、荷重支持層は、硬めクッション材を用いているため、永久変形であるへたりが起きにくく、耐久性が向上するという効果を奏する。
【００２５】
本発明において、切り込みは、薄い刃で単に切断した場合のように、実質的に間隙を形成しない構成とする他、所望の間隙を形成することもでき、この間隙の大きさによりクッション性を変化させることもできる。
【００２６】
本発明において、荷重支持層は、例えば不織布シートを上下方向に交互に連続的に屈曲させて波形板状に形成したものとし、そして柔軟層は、例えば発泡クッション材から構成することができる。
【図面の簡単な説明】
【００２７】
【図１】図１は本発明に係るマットレス用クッション体を説明するための第１の実施例の構成を概念的に示す平面図である。
【図２】図２は図１のＡ−Ａ線断面図である。
【図３】図３は図１のＢ−Ｂ線断面図である。
【図４】図４は図１のＣ−Ｃ線断面図である。
【図５】図５は本発明に係るマットレス用クッション体を説明するための第１の実施例の動作を、図２と同様な断面個所において模式的に示す断面図である。
【図６】図６は図５のＤ−Ｄ線断面図である。
【図７】図７は本発明に係るマットレス用クッション体を説明するための第２の実施例の構成を、図２と同様な断面個所において概念的に示す平面図である。
【図８】図８は本発明に係るマットレス用クッション体を説明するための第２の実施例の構成を、図３と同様な断面個所において概念的に示す平面図である。
【図９】図９は本発明に係るマットレス用クッション体を説明するための第２の実施例の構成を、図４と同様な断面個所において概念的に示す平面図である。
【図１０】図１０は本発明に係るマットレス用クッション体を説明するための第２の実施例の動作を、図７と同様な断面個所において模式的に示す断面図である。
【図１１】図１１は図１０のＥ−Ｅ線断面図である。
【図１２】図１２は本発明に係るマットレス用クッション体の参考例の構成を概念的に示す平面図である。
【図１３】図１３は本発明に係るマットレス用クッション体を説明するための第３の実施例の構成を要部の拡大図として概念的に示す要部平面図である。
【発明を実施するための形態】
【００２８】
次に図１〜図６に示した第１の実施例につき説明する。
これらの図において、符号１はマットレス用クッション体を概括的に示すもので、この実施例では、このマットレス用クッション体１は、使用者の全身に対応するものを一体に構成しているが、複数に分割された構成とすることもできる。
【００２９】
符号２は硬めのクッション材で構成した荷重支持層を示すもので、その下側に軟らかめのクッション材から成る柔軟層３を配置している。このように配置された荷重支持層２と柔軟層３は、少なくとも一部を接着や溶着等で結合して一体化する他、カバーで被覆してマットレスを構成する際に、このカバーで所定配置を維持するようにすることもできる。
【００３０】
荷重支持層２には、図に示されるように、マットレスとして構成された場合に、仰臥状態の使用者６の臀部ａや背部ｂや踵部ｃなど体圧の高くなりやすい部位及びそれらの近傍に対応する範囲に、上面から底面に貫通させた複数の切り込み４の列を形成しており、これらの列から変形容易部５ａ、５ｂ、５ｃを構成している。
【００３１】
この実施例では、切り込み４は、例えばプレス成形において薄い刃により形成することにより、実質的に間隙を形成していないが、上述したように間隙を形成することもできる。また、切り込み４の列による変形容易部５ａ、５ｂ、５ｃは、矩形状の範囲に構成しているが、円形状や楕円形状等の適宜の形状の範囲に構成することもできる。また切り込み４自体は直線としているが、波状等の曲線とすることもできる。
【００３２】
ここで、荷重支持層２を構成する硬めのクッション材は、例えばポリエステル繊維を用いた不織布シートを上下方向に交互に連続的に屈曲させて波形板状に形成したものを使用することができる。このようなクッション材としては、例えば特公平５−７２８０５号公報に記載されているようなものを例示することができる。また、柔軟層３を構成する軟らかめのクッション材は、例えばポリウレタン等の発泡クッション材とすることができる。
【００３３】
以上の構成において、第１の実施例では、適宜のカバーで被覆してマットレスを構成する。上述したように、本発明に係るマットレス用クッション体１は、使用者の全身に対応するものを一体に構成する他、複数に分割された構成とすることもできる。
【００３４】
本発明に係る第１の実施例の動作を模式的に示す図５、図６を参照すると、硬めのクッション材から成る荷重支持層２は、切り込み４の個所において水平方向の引張弾性力から開放されるため、その分、垂直方向に変形しやすくなる。特に、切り込み４は、荷重支持層２の上面から底面に貫通させているため、図６に示されるように、隣接する切り込み４に挟まれた荷重支持層２の部分Ｐ、便宜的に一部のみを示すと、例えば部分Ｐ1は、隣接する他の部分Ｐ2、Ｐ3に対して、全体として剪断方向の相対移動が可能となる。
【００３５】
そしてこの際、荷重支持層２の下側には軟らかめのクッション材から成る柔軟層３が配置されているため、隣接する切り込み４に挟まれた荷重支持層２の部分Ｐにおいて、より大きな荷重が加わった部分Ｐ1は、下側の柔軟層３を圧縮しながら、より小さな荷重が加わっている部分Ｐ2に対して全体として剪断方向である下方に移動する。即ち、隣接する切り込みに挟まれた荷重支持層の部分Ｐ1は、切り込みと平行な方向の荷重支持層２のクッション材の引張弾性力と、柔軟層３を構成する軟らかめのクッション材の圧縮弾性力により支持されることとなる。
【００３６】
従って、硬めのクッション材から成る荷重支持層２において、切り込み４の列から成る変形容易部５ａ、５ｂ、５ｃは、下側に配置した柔軟層３と相俟って、文字通り、上下方向の変形が容易であり、柔軟層３を形成する軟らかめのクッション材よりは硬いが、上述した従来例のように単に切り込みを形成したものと比較して、大幅に軟らかいクッション性を得ることができ、体圧の分散に寄与する。
【００３７】
こうして第１の実施例では、荷重支持層２により、使用者６の必要な身体の部位、例えば臀部ａ、背部ｂ、踵部ｃでは体圧の分散を図りながら、沈み込みが少ない状態で身体を支持することができるので、体圧分散に伴う効果に加えて、寝返りや、起きあがって端座位になる等の姿勢を変えたり、移動することが容易となり、介護や看護における負担を軽減することができるという効果を奏する。更に、荷重支持層２は、硬めクッション材を用いているため、永久変形であるへたりが起きにくく、耐久性が向上するという効果を奏する。
【００３８】
次に図７〜図１１は本発明のマットレス用クッション体を説明するための第２の実施例を示すもので、このマットレス用クッション体は、上述した第１の実施例のマットレス用クッション体の、荷重支持層２の上側にも軟らかめのクッション材から成る柔軟層７を配置した構成である。この柔軟層７を構成するクッション材は、下側の柔軟層３を構成するクッション材と同様のものを利用することができる。
【００３９】
このような第２の実施例の構成では、荷重支持層２の上側にも柔軟層７を配置しているので、上述した第１の実施例の動作、そして効果に加えて、使用者６の身体側に直接的に軟らかなクッション性を得ることができると共に、下側には荷重支持層２が配置されているため、柔軟層のみの場合のように大きく沈み込むこともなく、更に良好なクッション性が得られるという効果がある。
【００４０】
その他の構成及び動作は、第１の実施例と同様であるので、対応する要素に同一の符号を付して、重複する説明は省略する。
【００４１】
次に図１２は、本発明のマットレス用クッション体の参考例を示すもので、このマットレス用クッション体１は、第１の実施例と同様な位置に形成した矩形状の範囲に対応する変形容易部５ａ、５ｂ、５ｃは、マットレスの幅方向の複数の切り込み４の列により構成したものである。
【００４２】
この参考例では、第１の実施例の場合と比較して、各切り込み４の長さが長く、従って隣接する切り込み４に挟まれた荷重支持層の部分Ｐが長いため、第１の実施の形態の場合と比較して、より軟らかなクッション性を得ることができる。
【００４３】
次に図１３は、本発明のマットレス用クッション体の第３の実施例を示すもので、このマットレス用クッション体１では、第１の実施例と同様な変形容易部５を形成する切り込み４を、隙間８の有るスリット状に形成したものである。
【００４４】
この構成では、変形容易部５における身体の支持面積が第１の実施例と比較して低減されることにより、変形を更に容易に行えるようになる。
【産業上の利用可能性】
【００４５】
本発明は以上の通りであり、医療用、介護用又は一般用のマットレス用のクッション体として利用することができる。
【符号の説明】
【００４６】
１                マットレス用クッション体
２                荷重支持層
３                柔軟層
４                切り込み
５ａ、５ｂ、５ｃ  変形容易部
６              使用者
７              柔軟層
８              隙間
【図１】
2018086397.tif 000003
【図２】
2018086397.tif 000004
【図３】
2018086397.tif 000005
【図４】
2018086397.tif 000006
【図５】
2018086397.tif 000007
【図６】
2018086397.tif 000008
【図７】
2018086397.tif 000009
【図８】
2018086397.tif 000010
【図９】
2018086397.tif 000011
【図１０】
2018086397.tif 000012
【図１１】
2018086397.tif 000013
【図１２】
2018086397.tif 000014
【図１３】
2018086397.tif 000015